【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
ワイヤレス電話により遠隔的に制御することが可能なマルチメディアシステムであって、
汎用コンピュータ、少なくとも１つのビデオ入力モジュール、及び少なくとも１つのビデオ出力モジュールを含むプログラマブル・マルチメディア・コントローラと、
前記少なくとも１つのビデオ入力モジュール、及び前記少なくとも１つのビデオ出力モジュールに接続され、前記プログラマブル・マルチメディア・コントローラに応答して複数の対話型オンスクリーンディスプレイを表示する少なくとも１つのビデオディスプレイであって、前記対話型オンスクリーンディスプレイのそれぞれが、前記プログラマブル・マルチメディア・コントローラにより提供される１以上のプログラマブル・サービスを制御するために、ユーザによって操作可能である、少なくとも１つのビデオディスプレイと、
タッチセンシティブディスプレイを含むワイヤレス電話であって、前記タッチセンシティブディスプレイが、前記対話型オンスクリーンディスプレイとの間で情報をやりとりするために、ユーザによって操作可能であり、それによって前記１以上のプログラマブル・サービスを制御する、ワイヤレス電話と
を含むマルチメディアシステム。
【請求項２】
前記複数の対話型オンスクリーンディスプレイのうちの１以上は、１以上のグラフィック要素を含み、前記グラフィック要素に割当てられる機能は、前記ユーザが前記１以上のプログラマブル・サービスのうちのいずれのプログラマブル・サービスを制御しているかに応じて動的に変化する、請求項１に記載のマルチメディアシステム。
【請求項３】
前記複数の対話型オンスクリーンディスプレイのうちの１以上は、１以上のグラフィック要素を含み、前記グラフィック要素に割当てられる機能は、前記ユーザが操作したメニューレベルに応じて動的に変化する、請求項１に記載のマルチメディアシステム。
【請求項４】
前記ワイヤレス電話は、ユーザジェスチャー、ボタン押下、接触、又は前記ワイヤレス電話の移動に応答し、前記プログラマブル・マルチメディア・コントローラに情報を無線で送信し、前記プログラマブル・マルチメディア・コントローラは、前記情報を前記１以上のプログラマブル・サービスを制御するための１以上のコマンドに変換する、請求項１に記載のマルチメディアシステム。
【請求項５】
前記タッチセンシティブディスプレイは、１以上のボタンを表示し、前記ボタンのそれぞれによって、前記ユーザは、前記プログラマブル・サービスのうちの所定のものに対するアクセスを得ることができる、請求項１に記載のマルチメディアシステム。
【請求項６】
ワイヤレス・マルチメディア・プレイヤーにより遠隔的に制御することが可能なマルチメディアシステムであって、
汎用コンピュータ、少なくとも１つのビデオ入力モジュール、及び少なくとも１つのビデオ出力モジュールを含むプログラマブル・マルチメディア・コントローラと、
前記少なくとも１つのビデオ入力モジュール、及び前記少なくとも１つのビデオ出力モジュールに接続され、前記プログラマブル・マルチメディア・コントローラに応答して複数の対話型オンスクリーンディスプレイを表示する少なくとも１つのビデオディスプレイであって、前記対話型オンスクリーンディスプレイのそれぞれが、前記プログラマブル・マルチメディア・コントローラにより提供される１以上のプログラマブル・サービスを制御するために、ユーザによって操作可能である、少なくとも１つのビデオディスプレイと、
タッチセンシティブディスプレイを含むマルチメディア・プレイヤーであって、前記タッチセンシティブディスプレイが、前記対話型オンスクリーンディスプレイとの間で情報をやりとりするために、ユーザによって操作可能であり、それによって前記１以上のプログラマブル・サービスを制御する、マルチメディア・プレイヤーと
を含むマルチメディアシステム。
【請求項７】
前記複数の対話型オンスクリーンディスプレイのうちの１以上は、１以上のグラフィック要素を含み、前記グラフィック要素に割当てられる機能は、前記ユーザが前記１以上のプログラマブル・サービスのうちのいずれのプログラマブル・サービスを制御しているかに応じて動的に変化する、請求項６に記載のマルチメディアシステム。
【請求項８】
前記複数の対話型オンスクリーンディスプレイのうちの１以上は、１以上のグラフィック要素を含み、前記グラフィック要素に割当てられる機能は、前記ユーザが操作したメニューレベルに応じて動的に変化する、請求項６に記載のマルチメディアシステム。
【請求項９】
前記ワイヤレス・マルチメディア・プレイヤーは、ユーザジェスチャー、ボタン押下、接触、又は前記ワイヤレス・マルチメディア・プレイヤーの移動に応答し、前記プログラマブル・マルチメディア・コントローラに情報を無線で送信し、前記プログラマブル・マルチメディア・コントローラは、前記情報を前記１以上のプログラマブル・サービスを制御するための１以上のコマンドに変換する、請求項６に記載のマルチメディアシステム。
【請求項１０】
前記タッチセンシティブディスプレイは、１以上のボタンを表示し、前記ボタンのそれぞれによって、前記ユーザは、前記プログラマブル・サービスのうちの所定のものに対するアクセスを得ることができる、請求項６に記載のマルチメディアシステム。
【請求項１１】
ワイヤレスデバイスを使用してマルチメディアシステムを遠隔的に制御する方法であって、
汎用コンピュータを含み、かつ複数のプログラマブル・サービスを提供する、プログラマブル・マルチメディア・コントローラを提供するステップと、
前記プログラマブル・マルチメディア・コントローラに接続され、複数の対話型オンスクリーンディスプレイを表示する少なくとも１つのビデオディスプレイを提供するステップであって、前記対話型オンスクリーンディスプレイのそれぞれが、前記複数のプログラマブル・サービスのうちの１以上を制御するために、ユーザによって操作可能である、少なくとも１つのビデオディスプレイを提供するステップと、
タッチセンシティブディスプレイを含むワイヤレスデバイスを提供するステップであって、前記タッチセンシティブディスプレイが、前記対話型オンスクリーンディスプレイとの間で情報をやりとりするために、ユーザによって操作可能であり、それによって前記複数のプログラマブル・サービスのうちの１以上を制御する、ワイヤレスデバイスを提供するステップと
を含む方法。
【請求項１２】
前記複数の対話型オンスクリーンディスプレイのうちの１以上は、１以上のグラフィック要素を含み、前記グラフィック要素に割当てられる機能は、前記ユーザが前記複数のプログラマブル・サービスのうちのいずれのプログラマブル・サービスを制御しているかに応じて動的に変化する、請求項１１に記載の方法。
【請求項１３】
前記複数の対話型オンスクリーンディスプレイのうちの１以上は、１以上のグラフィック要素を含み、前記グラフィック要素に割当てられる機能は、前記ユーザが操作したメニューレベルに応じて動的に変化する、請求項１１に記載の方法。
【請求項１４】
前記ワイヤレスデバイスは、ユーザジェスチャー、ボタン押下、接触、又は前記ワイヤレスデバイスの移動に応答し、前記プログラマブル・マルチメディア・コントローラに情報を無線で送信し、前記プログラマブル・マルチメディア・コントローラは、前記情報を前記複数のプログラマブル・サービスのうちの前記１以上を制御するための１以上のコマンドに変換する、請求項１１に記載の方法。
【請求項１５】
前記タッチセンシティブディスプレイは、１以上のボタンを表示し、前記ボタンのそれぞれによって、前記ユーザは、前記プログラマブル・サービスのうちの所定のものに対するアクセスを得ることができる、請求項１１に記載の方法。
【請求項１６】
前記ワイヤレスデバイスは、ワイヤレス電話からなる、請求項１１に記載の方法。
【請求項１７】
前記ワイヤレスデバイスは、ワイヤレス・マルチメディア・プレイヤーからなる、請求項１１に記載の方法。